(57)【要約】【課題】密封型エンクロージャおよび密封システムを提供する。【解決手段】密封システムは、第１の舌部を有するエンクロージャ天部と第２の舌部を有するエンクロージャ基部との間に形成されるアパーチャ内に配設されるように構成された、グロメットキャップ内に配設されるように構成されたグロメットを有し、グロメットキャップはグロメットの一部分を覆うように構成され、前記グロメットキャップは、前記第１および第２の舌部を受け入れるように構成されたチャネルを形成するように構成された２つの壁を備える。【選択図】図９
2012033931.tif 000002
【特許請求の範囲】
【請求項１】
第１の長さＬ１を有する第１の外壁（２８１）と、
第２の長さＬ２を有するとともに、前記第１の外壁（２８１）から間隔が空けられた第２の内壁（２８３）とを備える、グロメットキャップ（２８０）。
【請求項２】
前記第１の外壁（２８１）と前記第２の内壁（２８３）との間に配設されるチャネル（２８６）をさらに備える、請求項１記載のキャップ（２８０）。
【請求項３】
前記第２の内壁（２９３）がキャビティ（２８９）を形成するように配置された、請求項１記載のキャップ（２８０）。
【請求項４】
第１の切欠き部分（２２３）を含む第１の側壁（２２２）と、
前記第１の側壁（２２２）上に配設された第１の舌部（２５２）とを備える基部（２２０）、および、
第２の切欠き部分（２１３）を備える第２の側壁（２１１）と、
前記第２の側壁（２１１）上に配設された第２の舌部（２５１）とを備える天部（２１０）を備え、
前記第１の切欠き部分（２２３）が前記第２の切欠き部分（２１３）と位置合わせされて、前記基部（２２０）と前記天部（２１０）との間に配設されるアパーチャ（２３０）を形成するように構成され、さらに、
第１の長さＬ１を有する第１の外壁（２８１）と、
第２の長さＬ２を有するとともに、キャビティ（２８９）を形成するように配置された、前記第１の外壁（２８１）から間隔が空けられた第２の内壁（２８３）と、
前記第１の外壁（２８１）と前記第２の内壁（２８３）との間に配設され、前記第１および第２の舌部（２５１）、（２５２）を受け入れるように構成されたチャネル（２８６）とを備えるグロメットキャップ（２８０）、および、
前記キャビティ（２８９）内に受け入れられるように構成されたグロメット（２４１）を備える、エンクロージャ（２００）。
【請求項５】
前記第１の側壁（２２２）が第１の境界面（２５０ａ）をさらに備え、
前記第２の側壁（２１１）が第２の境界面（２５０ｂ）を備え、
前記第１の境界面（２５０ａ）が前記第２の境界面（２５０ｂ）の少なくとも一部分と対合するように構成された、請求項４記載のエンクロージャ。
【請求項６】
前記第１の側壁（２２２）の前記第１の切欠き部分（２２３）が、前記グロメットキャップ（２８０）に対して保持力を提供するように構成された係合機構（２２７）を備える、請求項４記載のエンクロージャ。
【請求項７】
前記係合機構（２２７）が係合リブである、請求項６記載のエンクロージャ。
【請求項８】
第１の切欠き部分（２２３）を備える第１の側壁（２２２）と、
前記第１の側壁（２２２）上に配設された第１の舌部（２５２）とを備える基部（２２０）、および、
第２の切欠き部分（２１３）を備える第２の側壁（２１１）と、
前記第２の側壁（２１１）上に配設された第２の舌部（２５１）とを備える天部（２１０）を備え、
前記第１の切欠き部分（２２３）が前記第２の切欠き部分（２１３）と位置合わせされて、前記基部（２２０）と前記天部（２１０）との間に配設されるアパーチャ（２３０）を形成するように構成され、さらに、
グロメット（２４１）の一部分を覆うように構成されたグロメットキャップ（２８０）であって、
第１の長さＬ１を有する第１の外壁（２８１）と、
第２の長さＬ２を有するとともに、キャビティ（２８９）を形成するように配置された、前記第１の外壁（２８１）から間隔が空けられた第２の内壁（２８３）と、
前記第１の外壁（２８１）と前記第２の内壁（２８３）との間に配設され、前記第１および第２の舌部（２５１、２５２）を受け入れるように構成されたチャネル（２８６）とを備えるグロメットキャップ（２８０）、および、
前記キャビティ（２８９）内に受け入れられるように構成されたグロメット（２４１）を備える、エンクロージャ（２００）を備える、密封システム。
【請求項９】
前記第１の側壁（２２２）が第１の境界面（２５０ａ）をさらに備え、
前記第２の側壁（２１１）が第２の境界面（２５０ｂ）を備え、
前記第１の境界面（２５０ａ）が前記第２の境界面（２５０ｂ）の少なくとも一部分と対合するように構成された、請求項８記載の密封システム。
【請求項１０】
前記第１の側壁（２２２）の前記第１の切欠き部分（２２３）が、前記グロメットキャップ（２８０）に対して保持力を提供するように構成された係合機構（２２７）を備える、請求項８記載の密封システム。
【発明の詳細な説明】
【技術分野】
【０００１】
本発明の分野は、一般にエンクロージャに関し、より具体的には、以下がその明細書であり明細書に添付されその一部を成す図面を参照する、密封型エンクロージャおよび密封システムにおける特定の新規かつ有用な進歩に関する。
【背景技術】
【０００２】
従来の電子機器モジュールおよび／またはシステムは、一般に、プリント回路基板に取り付けられ、電子機器デバイスを保護するために電子機器エンクロージャ内に配設されてもよい、様々な電子機器部品を備える。プリント回路基板は、それに取り付けられた様々な電子機器部品に対する電気的接続を支援する。
【０００３】
従来の電子機器モジュールおよび／またはシステムは別個のエンクロージャに収容されることがあり、それらのエンクロージャは、一般的に、電子機器モジュールおよび／またはシステム間で電気信号を伝えるように構成された１つまたは複数のラインによって互いに接続される。ラインは、一般的に、コネクタを各端部に有する導電性ワイヤまたはケーブルを備え、電子機器エンクロージャ内部に位置するプリント回路基板に接続されるように構成されている。
【０００４】
従来の電子機器モジュールおよび／またはシステムを収容するエンクロージャは、しばしば「分割箱」型設計のものであり、エンクロージャ天部およびエンクロージャ基部を備え、これらの天部および基部は、丁番付けされるか、境界面に沿って対合するように別個に構成され、内部キャビティを形成することができる。それに加えて、そのようなエンクロージャは、従来、ラインまたはケーブルがエンクロージャを貫通できるように構成されたアパーチャまたは貫通開口部を備える。湿気または他の液体など周囲の液状媒体が進入しないようにする保護など、環境保護を提供するために、エンクロージャの内部を、境界面に沿って、ならびにあらゆるケーブル貫通開口部において周囲環境から密封することが必要な場合が多い。保護シールを提供するために、ガスケットまたはグロメットシールを含む多くの方法、デバイス、およびシステムが使用されてきた。
【０００５】
図１Ａ〜１Ｇを参照すると、当該分野で知られている従来の密封システムの従来のエンクロージャ１００の様々な図が示されている。エンクロージャ１００のエンクロージャ基部１２０は、境界面１２５を備えた側壁１２２を有し、その境界面は、エンクロージャ天部１１０の側壁１１１上にある対応する境界面１１５の一部分に沿って対合するように配置される。１つまたは複数のケーブル（図示せず）をエンクロージャ１００内へと貫通させることができるように、側壁１２２は、一般的に第１の切欠き部分１２３を含み、その切欠き部分は、エンクロージャ天部１１０の側壁１１１上にある対応する第２の切欠き部分１１３と位置合わせされるように構成されて、アパーチャ１３０を形成する。外表面１２４ａおよび内表面１２４ｂを有する第１の舌部１２４が、エンクロージャ基部上に配設されてもよい。外表面１１４ａおよび内表面１１４ｂを有する第２の舌部１１４が、エンクロージャ天部上に配設されてもよく、各舌部１２４、１１４は各側壁１２２、１１１にほぼ直角に延在する。単一片のグロメット１４１などのグロメットは、一般的にアパーチャ１３０内に配設される。
【０００６】
グロメット１４１は、図１Ａ〜１Ｇでは、ほぼ長方形の断面を有するように示されるが、従来のグロメットは、アパーチャ１３０の形状にほぼ対応する様々な形状および断面を有することが知られている。そのようなグロメット１４１は、従来、アパーチャ１３０内に配設されるとともに、一般的にはシールを提供するためにエンクロージャ天部１１０と基部１２０との間の圧縮力を受けて、舌部１２４、１１４の内表面１２４ｂ、１１４ｂを係合するように構成された、少なくとも１つの周辺リブ１４２を備える本体部分１４４を有する。一般的に、従来のグロメット１４１は、有効なシールを提供するため、エンクロージャ天部１１０と基部１２０との間で圧縮する必要がある。
【０００７】
従来のグロメット１４１はまた、対応するケーブル（図示せず）が貫通してもよい１つまたは複数の開口部１４４ａを有する。
【０００８】
それに加えて、グロメット１４１を保護し保持するため、従来、単一の周辺外壁１８１および外面１８２を有するグロメットキャップ１８０が提供される。単一の周辺外壁１８１は、内表面１８１ａおよび外表面１８１ｂを備え、また、内表面１８１ａが舌部外表面１２４ａ、１１４ａに隣接するとともに、外面１８２がグロメット１４１の外表面１４５に隣接して配設されるようにして、第１および第２の舌部１２４、１１４の上に配設されるように構成される。グロメットキャップ１８０の外面１８２は、そこを貫通する１つまたは複数の開口部１８４ａを備えてもよく、それらは１つまたは複数のグロメット開口部１４４ａそれぞれに対応し、ケーブル（図示せず）が同様にそこを貫通してもよい。
【０００９】
多くの場合、境界面１２５、１１５に沿った表面の凹凸を補償し、かつエンクロージャ天部１１０および基部１２０の伸縮を補償するため、エンクロージャ１００を密封する際のさらなる助けとなるＲＴＶシリコンなどのガスケット、すなわちシーラント材が境界面１２５、１１５の間に配設される。
【００１０】
従来のエンクロージャでは、第１および第２の舌部１２４、１１４の近くで湿気が進入しないように有効な密封を可能にするため、エンクロージャ１００の切欠き部分においてグロメット１４１と表面１２５、１１５との間は十分に形作られた境界面であることが求められる。
【先行技術文献】
【特許文献】
【００１１】
【特許文献１】米国特許第７２９４００７号公報
【発明の概要】
【発明が解決しようとする課題】
【００１２】
従来の密封方法およびデバイスは、例えば、エンクロージャが長期の動作期間にわたって高温に晒され、次いで冷却期間を経た後での漏れ防止に関して、十分に満足できるものではなかった。少なくとも上述した理由で、改善されたエンクロージャおよび密封システムが必要とされている。
【課題を解決するための手段】
【００１３】
本明細書に示される、かつ／または記載される１つもしくは複数の具体的な実施形態は、少なくとも上述の必要性に取り組む。
【００１４】
一実施形態では、キャップが開示され、該キャップは、第１の長さＬ１を有する第１の外壁と、第２の長さＬ２を有するとともに、前記第１の外壁から間隔が空けられた第２の内壁とを備える。
【００１５】
別の実施形態では、エンクロージャが開示され、該エンクロージャは、第１の切欠き部分を含む第１の側壁と、前記第１の側壁上に配設された第１の舌部とを備える基部、および、第２の切欠き部分を備える第２の側壁と、前記第２の側壁上に配設された第２の舌部とを備える天部を備え、前記第１の切欠き部分が前記第２の切欠き部分と位置合わせされて、前記基部と前記天部との間に配設されるアパーチャを形成するように構成され、さらに、第１の長さＬ１を有する第１の外壁と、第２の長さＬ２を有するとともに、キャビティを形成するように配置された、前記第１の外壁から間隔が空けられた第２の内壁と、前記第１の外壁と前記第２の内壁との間に配設され、前記第１および第２の舌部を受け入れるように構成されたチャネルとを備えるグロメットキャップ、および、前記キャビティ内に受け入れられるように構成されたグロメットを備える。
【００１６】
さらに別の実施形態では、密封システムが開示され、該システムは、第１の切欠き部分を含む第１の側壁と、前記第１の側壁上に配設された第１の舌部とを備える基部、および、第２の切欠き部分を備える第２の側壁と、前記第２の側壁上に配設された第２の舌部とを備える天部を備え、前記第１の切欠き部分が前記第２の切欠き部分と位置合わせされて、前記基部と前記天部との間に配設されるアパーチャを形成するように構成され、さらに、第１の長さＬ１を有する第１の外壁と、第２の長さＬ２を有するとともに、キャビティを形成するように配置された、前記第１の外壁から間隔が空けられた第２の内壁と、前記第１の外壁と前記第２の内壁との間に配設され、前記第１および第２の舌部を受け入れるように構成されたチャネルとを備えるグロメットキャップ、および、前記キャビティ内に受け入れられるように構成されたグロメットを備える、エンクロージャを備える。
【００１７】
様々な範囲の装置およびシステムが本明細書に示され記載される。上述の利点に加えて、さらなる利点および／または適応もしくは変形が、図面を参照することによって、また本明細書の残りの部分を読むことによって明白になるであろう。
【００１８】
以下、添付図面について簡潔に言及する。
【図面の簡単な説明】
【００１９】
【図１Ａ】従来技術の密封システムを示す分解組立図である。
【図１Ｂ】従来技術の密封システムを示す分解組立図である。
【図１Ｃ】従来技術の密封型エンクロージャを示す平面図である。
【図１Ｄ】図１Ｃの従来技術のエンクロージャを示す端面図である。
【図１Ｅ】方向Ａ−Ａで見た図１Ｄの従来技術のエンクロージャを示す断面図である。
【図１Ｆ】図１Ｅの従来技術のエンクロージャの一部分を示す拡大図である。
【図１Ｇ】図１Ｅの従来技術のエンクロージャを示す部分断面図である。
【図２】本発明の一実施形態を示す分解組立図である。
【図３】本発明の一実施形態を示す分解組立図である。
【図４】本発明の一実施形態を示す分解組立図である。
【図５】図３のグロメットキャップの一実施形態を示す斜視図である。
【図６】図４の一実施形態の一部分を示す拡大図である。
【図７】一実施形態を示す端面図である。
【図８】方向Ｂ−Ｂで見た図７の実施形態を示す断面図である。
【図９】図８の実施形態の一部分を示す拡大図である。
【図１０】一実施形態を示す分解組立図である。
【発明を実施するための形態】
【００２０】
複数の図面を通して類似の参照符号は同一のまたは対応する構成要素および構成部分を指定する。図面は、別段の指示がない限り、縮尺通りではない。
【００２１】
以下の記載においては、本明細書の一部を成すとともに、実施されてもよい具体的な実施形態が例示として示される添付図面を参照する。他の実施形態が利用されてもよく、添付の請求項における特許性のある範囲から逸脱することなく、本明細書に示され記載される実施形態に対して様々な変更を行うことができることが理解される。したがって、以下の記載は限定的な意味で解釈すべきではない。
【００２２】
本明細書で使用されるとき、単数形で列挙され、用語「ａ」もしくは「ａｎ」で始まる要素または機能は、複数の前記要素または機能を除外するという明示がない限り、それらを除外しないものとして理解すべきである。さらに、請求される発明の「一実施形態」という言及は、列挙される特徴をやはり組み込む追加の実施形態が存在することを除外するものとして解釈すべきでない。
【００２３】
図２〜４、７、および９を参照すると、一実施形態の例示が分解組立図で示される。エンクロージャ２００のエンクロージャ基部２２０は、第１の境界面２５０ａを有する第１の側壁２２２を備え、その第１の境界面は、エンクロージャ天部２１０の第２の側壁２１１上にある第２の境界面２５０ｂの対応する部分と対合してシーム２０２（図７を参照）を形成するように構成される。第１の側壁２２２は、第１の切欠き部分２２３（図４を参照）をさらに備え、その第１の切欠き部分は、エンクロージャ天部２１０の第２の側壁２１１上にある対応する第２の切欠き部分２１３とほぼ位置合わせされて、エンクロージャ天部２１０と基部２２０との間に配設されるエンクロージャアパーチャ２３０（図９を参照）を形成するように構成される。エンクロージャアパーチャ２３０は、グロメットキャップ２８０（図５）の一部分を受け入れるように構成される。第１の内表面２５２ａおよび第１の外表面２５２ｂを有する第１の舌部２５２がエンクロージャ基部２２０上に配設され、第２の外表面２５１ａおよび第２の内表面２５１ｂを有する第２の舌部２５１がエンクロージャ天部２１０上に配設され、第１および第２の舌部２５１、２５２は、好ましくは、各側壁２１１、２２２にほぼ直角に延在する。
【００２４】
グロメットキャップ２８０内に配設されるように構成されるとともに、好ましくは、シリコーンゴムまたはウレタンなどの可撓性エラストマー材料で形成される本体部分２４４を有するグロメット２４１が提供される。グロメット２４１の本体部分２４４は、好ましくは、少なくとも１つの周辺密封リブ２４２を備える。グロメット２４１は、図面では、ほぼ長方形の断面を有するように示されるが、様々な実施形態では、グロメット２４１は、グロメットキャップのキャビティ２８９の形状にほぼ対応する様々な形状、幾何学形状、および断面で構成されてもよい。一実施形態では、グロメット２４１の外表面２４５は、対応するケーブル（図示せず）が貫通してもよい１つまたは複数の開口部２４３を備える。
【００２５】
図４、５、８、および９を参照すると、グロメットキャップ２８０は、第１および第２の舌部２５２、２５１と協働するように構成され、グロメット２４１を覆うように配設される。グロメットキャップ２８０は、第１の長さＬ１と、第１の外側密封壁外表面２８１ａと、第１の外側密封壁内表面２８１ｂとを有する第１の外側密封壁２８１を備える。それに加えて、グロメットキャップ２８０は、第２の長さＬ２と、第２の内側密封壁外表面２８３ａと、第２の内側密封壁内表面２８３ｂとを有する第２の内側密封壁２８３を備える。第２の内側密封壁２８３は、グロメット２４１を受け入れるように構成されたキャビティ２８９を画定するように配置される。一実施形態では、第２の内側密封壁２８３はさらに、エンクロージャアパーチャ２３０内に受け入れられるように構成される。一実施形態では、第２の内側密封壁内表面２８３ｂは、グロメット２４１の少なくとも１つの周辺リブ２４２を係合するように構成された連続する表面を提供する。一実施形態では、第１の外側密封壁２８１の第１の長さＬ１は、第２の内側密封壁２８３の第２の長さＬ２よりも短い。第１の外側密封壁２８１および第２の内側密封壁２８３は間隔が空けられてチャネル２８６を形成する。チャネル２８６は、第１および第２の舌部２５２、２５１を受け入れるように寸法が決められる。それに加えて、グロメットキャップ２８０は、好ましくはチャネル２８６にほぼ直角に向けられ、かつグロメット２４１の外表面２４５の上に配設されるように構成された第３の面壁２８２を備える。グロメットキャップ２８０は、第２の内側密封壁２８３がグロメット２４１とエンクロージャ基部２２０および天部２１０の舌部２５２、２５１との間に配置されるようにして、グロメット２４１の一部分の上に配設されるように構成される。それによって、グロメットキャップ２８０は、表面２５０ａ、２５０ｂを対合するシーム２０２にグロメット２４１が接触するのを防ぎ、エンクロージャ基部２２０および天部２１０の舌部２５２、２５１がエンクロージャ２００をより有効に密封する。
【００２６】
一実施形態では、グロメットキャップ２８０は、好ましくはグロメット開口部２４３に対応し、１つまたは複数のケーブル（図示せず）がそこを貫通してもよい、表面２８２を通る１つまたは複数の開口部２８７を備える。
【００２７】
一実施形態では、湿気がエンクロージャ２００に進入しないようにさらに保護するため、室温加硫ＲＴＶシリコーンゴムなどの粘着性のシーラント材（図示せず）が、第１および第２の舌部２５１、２５２の少なくとも一方と第１の外壁２８１および第２の内壁２８３の少なくとも一方との間に配設されて、グロメットキャップ２８０とのシールを提供してもよい。
【００２８】
一実施形態では、グロメットキャップ２８０の第２の内側密封壁外表面２８３ａの一部分は、第１の側壁２２２の第１の切欠き部分２２３と第２の側壁２１１上にある第２の切欠き部分２１３とを係合するように構成される。一実施形態では、側壁２２２の第１の切欠き部分２２３は、例えば、第１の外側密封壁外表面２８１ａ上に配設される係合リブ２８８と協働して、グロメットキャップ２８０に対する保持力を提供するように構成された溝２２７など、少なくとも１つの係合機構を備える。
【００２９】
請求項、要約書、および図面を含む本明細書は、本明細書に例示され記載される具体的な実施形態のあらゆる適応または変形を網羅するものとする。したがって、上述のシステム、方法、および装置の要素、構成要素、または特徴の名称は、限定的ではないものとする。上述の実施形態は、適応または変形されるか否かに関わらず、将来のエンクロージャ装置およびシステムに適用可能であることが想到される。さらに、本明細書で使用される用語は、本明細書に記載されるのと同じまたは同等の機能性を提供するすべてのエンクロージャおよびシステムを包含するものとする。
【００３０】
上述の具体的な実施形態それぞれの特定の要素、構成要素、または機構すべてを個々の図面に示すように努めたが、これは不可能であったかも知れない。上述の具体的な実施形態のうち１つまたは複数における１つもしくは複数の要素、構成要素、または機構が、いくつかの図面には示され、他の図面には示されない場合、１つの図面の各要素、構成要素、または機構は、本明細書に記載されるように、本明細書にて請求されるように、あるいは他のいずれかの適切なやり方で、残りの図面のいずれかまたはすべてに示される他の要素、構成要素、または機構のいずれかもしくはすべてと組み合わされてもよいことが想到される。
【００３１】
用語「含む」、「備える」、「有する」、および「備えた」は、本明細書で使用するとき、広義にかつ包括的に解釈されるべきであり、いかなる物理的な連係にも限定されない。それに加えて、以下の請求項によって定義される特許性のある範囲は、上述の具体的な実施形態だけではなく、（ｉ）請求項の文言と相違しない構造的要素を有するか、あるいは（ｉｉ）請求項の文言とわずかに異なる等価の構造的要素を有する、実施形態の適応または変形をも包含するものとする。
【符号の説明】
【００３２】
２００  エンクロージャ
２０２  シーム
２１０  エンクロージャ天部
２１１  第２の側壁
２１３  第２の切欠き部分
２２０  エンクロージャ基部
２２２  第１の側壁
２２３  第１の切欠き部分
２２７  溝
２３０  エンクロージャアパーチャ
２４１  グロメット
２４２  周辺密封リブ
２４３  開口部
２４４  本体部分
２４５  外表面
２５１  第２の舌部
２５２  第１の舌部
２８１  第１の外側密封壁
２８２  第３の面壁
２８３  第２の内側密封壁
２８６  チャネル
２８７  開口部
２８８  係合リブ
２８９  キャビティ
【図１Ａ】
2012033931.tif 000003
【図１Ｂ】
2012033931.tif 000004
【図１Ｃ】
2012033931.tif 000005
【図１Ｄ】
2012033931.tif 000006
【図１Ｅ】
2012033931.tif 000007
【図１Ｆ】
2012033931.tif 000008
【図１Ｇ】
2012033931.tif 000009
【図２】
2012033931.tif 000010
【図３】
2012033931.tif 000011
【図４】
2012033931.tif 000012
【図５】
2012033931.tif 000013
【図６】
2012033931.tif 000014
【図７】
2012033931.tif 000015
【図８】
2012033931.tif 000016
【図９】
2012033931.tif 000017
【図１０】
2012033931.tif 000018